(57)【要約】本発明は、放送網からのデータ記録を管理する方法に関する。本発明の方法は、計画されたタスクを実行するために所望の時間において記録リソースが利用可能であるか否かを判定し、必要であればこのタスクの実行を将来のデータ再伝送まで延期する。本発明の改善された変形例は、同等のリソースについての探索を行い、次に同等なリソースが利用可能でない場合は現在のリソースの使用者との交渉を行う。本発明はまた、方法を実行する装置及び制御中央部に関連する。【特許請求の範囲】
【請求項１】
放送網によって放送される視聴覚番組及びサービス情報を受信する少なくとも１つの手段（ＳＴＢ）と前記視聴覚番組を記録する少なくとも１つの装置（ＶＣＲ１，ＶＣＲ２，ＤＤ）とを含む通信網内で記録を管理する方法であって、
前記方法は、指定された時点における指定された記録装置への視聴覚番組の記録を予約するためのパラメータを入力する予備段階を含み、
（ａ）前記指定された時点において、前記指定された記憶装置が利用可能であるか否かを調べる段階（１０）と、
（ｂ）前記段階（ａ）の結果が否定的である場合は、前記番組の少なくとも一の他の放送時点を探索する段階（１６，１７）と、
（ｃ）前記番組が後に放送される場合は、後の放送中の記録のために前記指定された時点を変更する段階（１８）とを含むことを特徴とする方法。
【請求項２】
複数の記録装置（ＶＣＲ１，ＶＣＲ２，ＤＤ）を用いることによる請求項１記載の記録を管理する方法であって、
（ｄ）前記番組が後に放送されない場合は、前記記録を前記指定された時点において実行するために他の記録装置を探索する段階（２０，２１）と、
（ｅ）他の装置が利用可能であれば、当該装置上で記録を行わせる段階（１１）とを更に含むことを特徴とする方法。
【請求項３】
（ｆ）利用可能な記録装置がない場合は、見つかっていない装置を使用しているユーザ又はアプリケーションと交渉し、前記ユーザ又はアプリケーションが前記装置を解放することができるか否かを判定する段階（２２，２３）と、
（ｇ）見つかっていない装置が得られた場合は、解放された装置上で記録を行わせる段階（１１）とを更に含むことを特徴とする請求項２記載の記録を管理する方法。
【請求項４】
番組の再放送の時点において指定された装置が利用可能でない場合は、記録を行うための他の同等の記録装置（ＶＣＲ１，ＶＣＲ２，ＤＤ）を探すことを特徴とする、請求項２又は３記載の記録を管理する方法。
【請求項５】
前記番組の記録段階（１１）に続いて、
（ｈ）前記記録を確認する段階（１２）と、
（ｉ）前記記録が不良であった場合は、前記番組の少なくとも一の他の放送時点を探す段階と、新しい記録を予約する段階（１３，１４，１５）とを更に含むことを特徴とする、請求項１乃至４のうちいずれか一項記載の記録を管理する方法。
【請求項６】
前記視聴覚番組はディジタル式のものであることを特徴とする、請求項１乃至５のうちいずれか一項記載の記録を管理する方法。
【請求項７】
放送に対応する少なくとも指定された記録時点を含む記録を予約するためのパラメータを入力する手段（Ｋ１）と、前記パラメータを格納するメモリ（Ｍ）と、前記視聴覚番組の放送網上の放送を指定するサービス情報を受信する手段（ＤＥＭＵＸ）とを含む、放送網を通じて受信される視聴覚番組を記録する装置（ＶＣＲ１，ＶＣＲ２，ＤＤ）であって、
前記指定された時点において記録装置が利用可能でない場合は他の放送を選択する手段（μＰ１，Ｍ１）と、前記選択された放送時点を書き込むために、前記メモリ（Ｍ１）中で前記記録時点を変更する手段とを更に含むことを特徴とする、装置。
【請求項８】
前記指定された時点において前記指定された装置が利用可能でない場合に作動される記録装置選択手段（２０，２１）を更に含み、前記装置選択手段は前記指定された時点において利用可能な他の記録装置についての探索（２０）を行い、探索結果が肯定的である場合は前記番組の記録を作動させることを特徴とする、請求項７記載の記録装置。
【請求項９】
前記番組の記録のために利用可能な記録装置がない場合に作動される交渉手段（２２）を更に含み、前記交渉手段は、記録装置の解放の合図を受信し、解放された装置上への番組の記録を実行させることを特徴とする、請求項８記載の記録装置。
【請求項１０】
前記記録装置はディジタルビデオレコーダであることを特徴とする、請求項７乃至９のうちいずれか一項記載の記録装置。
【請求項１１】
放送網によって放送される視聴覚番組の少なくとも１つの受信器（ＳＴＢ）及び複数の記録装置（ＶＣＲ１，ＶＣＲ２，ＤＤ）へディジタルバスによって接続される通信網を管理する中央装置（ＵＣ）であって、
処理ユニット（μＰ２）と、プログラム及び放送に対応する記録の少なくとも一の所定の時点を含む記録を予約するためのパラメータを入れたメモリ（Ｍ２）と、放送網上での前記視聴覚番組の放送を指定するサービス情報を受信する手段（ＤＥＭＵＸ２）とを含み、
予約された記録装置が指定された時点において利用可能でない場合に作動される他の放送を選択する手段（μＰ２，Ｍ２）と、
選択された記録時点を書き込むために指定された記録時点をメモリ（Ｍ２）中で変更する手段とを更に含むことを特徴とする中央装置。
【発明の詳細な説明】
【０００１】
本発明は、ディジタル通信網内で視聴覚番組の記録を管理する方法、記憶のための装置、及び、記録を管理する中央装置に関連する。
【０００２】
ディジタル通信網は、有線又は無線の例えばＩＥＥＥ１３９４バスといった通信バスにより互いに接続される装置を含む。通信網は、例えば、ネットワーク制御パラメータを入力しネットワークの状態を確かめるためにユーザが視聴覚番組を見ることを可能とする端末、放送網から発せられる視聴覚番組及びサービス情報を受信することが可能なディジタルテレビジョン受像機（例えばデコーダ）、視聴覚番組を格納する装置、モデム等を含む。サービス情報は、番組の放送に関する標識を含み、この情報は、例えば電子番組ガイド（略してＥＰＧ）の形で端末上で調べることができる。装置のリストは、完全に網羅するものではない。通信網上には各種類の装置が幾つか存在する場合があり、例えば、家庭通信網では住居の各部屋に端末があること、幾つかの受信器を用いることにより幾つかの放送網から発せられる番組を受信することが可能となること、及び、通信網は例えばディジタルビデオレコーダ及びハードディスクといった異なる種類の幾つかの記憶装置を有しうることが考えられる。
【０００３】
かかる通信網では、通信網を介してユーザにサービスを提供する第１の装置と、このサービスを受信し続いて網へこのサービスを与える第２の装置とが見つけられる。例えば、端末の表示画面により、ユーザは受信器又は記憶装置のいずれかから発せられる番組を見ることが可能である。
【０００４】
ディジタル通信網は、ユーザ及びアプリケーションが住居内のリソースを共用することを可能とする。しかしながら、同じ時点に、異なる端末を有するユーザが同一のディジタル受信器又は同一の記憶装置から発せられる異なった視聴覚番組を見ることを望む場合がある。リソースの共用により、使用上の競合が生ずる。一般的な問題は、必要なリソースのうちの１つ以上が既に他のタスクで使用中であるときにユーザ又はアプリケーションが記録を行う必要がある場合である。番組の記録のタスクをうまく実行させることができないのは、受信器が利用可能でないこと、記憶装置が利用可能でないこと、及び／又は、通信網を介して番組を送信するのに必要な帯域幅が十分でないことによるものでありうる。スケジューリング又はリソースが利用可能でないことに関する競合を解決することに関する問題が生じうる。例えば、番組を記録することが想定されており、その放送の時点において想定されたリソースが利用可能でない場合、記録は中止される。記録が実行されなかったことに気づくのはユーザが遅すぎることとなり、これはユーザにとって満足のいくものではない。
【０００５】
本発明は、通信網のリソースの使用を最適化するために、放送網によって伝送されるサービス標識をより良く使用することを可能とする。本発明は、従って、網に接続された記録装置の使用を最適化する。
【０００６】
本発明は、放送網によって放送される視聴覚番組及びサービス情報を受信する少なくとも１つの手段と視聴覚番組を記録する少なくとも１つの装置とを含む通信網内で記録を管理する方法であって、
方法は、指定された時点における指定された記録装置への視聴覚番組の記録を予約するためのパラメータを入力する予備段階を含み、
（ａ）指定された時点において、指定された記憶装置が利用可能であるか否かを調べる段階と、
（ｂ）段階（ａ）の結果が否定的である場合は、番組の放送の少なくとも一の他の時点を探索する段階と、
（ｃ）番組が後に放送される場合は、後の放送中の記録のために指定された時点を変更する段階とを含むことを特徴とする方法からなる。
【０００７】
このようにして、網は番組の後の放送を探し、タスクが後の放送中の実行されるよう初期パラメータを変更する。ユーザは介在する必要はなく、競合について管理するのは網である。
【０００８】
第１の改善点によれば、方法は指定された時点において番組の記録を行うために利用可能な他の記録装置を探す。他の装置が見つかれば、タスクが他の記録装置を用いて実行されるよう予約パラメータが変更される。
【０００９】
他の改善点によれば、時間と装置について試みられた２つの代替策がうまくいかなかった場合は、網は、実行されるべきタスクに必要とされるリソースを進行中のタスクが解放することができるかどうかを判定するために交渉手段が作動される。解放できると判定された場合、進行中のタスクは中断され、解放されたリソースは実行されるべき記録タスクに割り当てられる。
【００１０】
他の改善点によれば、番組の再放送の時点において、最初に想定された装置が利用可能でなければ、方法は、記録を行うための同等の装置を探す段階を含む。
【００１１】
本発明は、また、記録を予約するための少なくとも放送に対応する記録の指定された時点を含むパラメータを入力する手段と、パラメータを格納するメモリと、視聴覚番組の放送網上の放送を指定するサービス情報を受信する手段とを含む、放送網を通じて受信される視聴覚番組を記録する装置であって、指定された時点において記録装置が利用可能でない場合は他の放送を選択する手段と、選択された放送時点を書き込むために、メモリ中で記録時点を変更する手段とを更に含むことを特徴とする、装置に係る。
【００１２】
一つの改善点によれば、想定された装置が指定された時点において使用中であれば、指定された時点において番組の記録を行うために、利用可能な他の記録装置が使用されうる。他の改善点によれば、番組が後に放送されず、他の装置が利用可能でない場合は、実行されるべきタスクに必要なリソースを進行中のタスクが解放することが出来るかどうかを判定するために交渉手段が作動される。交渉手段が、進行中のタスクの中断を許した場合、解放されたタスクは実行されるべきタスクを実行するために作動される。
【００１３】
本発明は、また、放送網によって放送される視聴覚番組の少なくとも１つの受信器及び複数の記録装置へディジタルバスによって接続される通信網を管理する中央装置であって、処理ユニットと、プログラム及び放送に対応する記録の少なくとも一の所定の時点を含む記録を予約するためのパラメータを入れたメモリと、放送網上での視聴覚番組の放送を指定するサービス情報を受信する手段とを含み、予約された記録装置が指定された時点において利用可能でない場合に作動される他の放送を選択する手段と、選択された記録時点を書き込むために指定された記録時点をメモリ中で変更する手段とを更に含むことを特徴とする中央装置に係る。
【００１４】
本発明の他の特徴及び利点は、添付の図面を参照して非制限的な例として与えられる以下の典型的な実施例の説明から明らかとなろう。
【００１５】
図１中、本発明の典型的な実施例によるディジタル通信網を示す。この網は、例えば、以下の装置を含む：処理ユニットμＰ１、番組及びデータを格納することを可能とするメモリＭ１、チューナ、放送網からの番組を受信することを可能とするデマルチプレクサＤＥＭＵＸ、遠隔制御装置Ｋ１から信号を受信することを可能とするインタフェースＩ、並びに、大容量のハードディスクＤＤを具備したデコーダＳＴＢと、２つのディジタルビデオレコーダＶＣＲ１及びＶＣＲ２並びにハードディスクＤＤといった視聴覚番組を格納する３つの手段と、２つのテレビジョン画面ＴＶ１及びＴＶ２とを含み、第２のテレビジョン画面ＴＶ２はキーパッドＫ２を具備しネットワークへコマンドを入力する端末として使用されうる。ネットワークはまた、デコーダに組み込まれた又はネットワークに接続された独立の要素を構成するモデム（ＭＯＤＥＭ）を用いた電話回線を使用することが可能である。これら全ての装置は、例えばＩＥＥＥ１３９４標準を用いてディジタルバスによって相互に接続される。
【００１６】
網はまた、バスに接続された装置の利用可能性の状態を確かめることを可能とするネットワークマネージャを含む。マネージャは、タスク実行の要求を受け取り、これらをタスクの実行をうまく行うことが可能な１以上の装置に割り当てる。ネットワーク管理モードによっては、マネージャは同じ場所に配置されない。管理が分散されている場合、マネージャは各装置中に複製されたプログラムの形である。各装置には、識別子ＩＤ（例えば、ＩＥＥＥ１３９４バスのマネージャによって割り当てられる「ＩＤノード」）が与えられる。要求が行われると、割り当ては非常に単純なプロトコルによって実行される。即ち、問い合わせが行われる第１の装置は最小の値の識別子を有するものである。要求の全て又は一部を行うことが可能であるか否かを確かめ、それを他の装置に知らせる。対話は、識別子の値を増加させつつ、他の装置との間で続けられる。各装置は実行せねばならない全ての記録タスクのパラメータを格納する。網の管理が集中型である場合、網マネージャは、様々な他の装置を制御し、実行されるべき命令を他の装置に対して個々に送信する中央ユニット（ＵＣ）によって実施される。中央ユニットは、処理ユニット（μＰ２）と、プログラム及び記録を予約するためのパラメータを格納するメモリ（Ｍ２）と、番組の放送に関連する少なくともサービス情報を受信することを可能とするチューナ及びデマルチプレクサＤＥＭＵＸ２とを含む。変形例として、中央ユニットＵＣは、ＩＥＥＥ１３９４バスを介してデコーダＳＴＢからサービス情報を受信しうる。
【００１７】
デコーダは、衛星によって伝送されるディジタルデータを受信する。これらのデータのディジタルコンテンツは、例えば視聴覚番組を構成するＭＰＥＧ形式の画像である。例えば、受信されるデータは、基準ＥＮ３００４６８−Ｖ１．３．１又は基準ＲＥＮ／ＪＴＣ−００ＤＶＢ−４３で１９９７年９月に発行されたＥＴＳＩ（欧州電気通信標準化機構）によって確立されたＤＶＢ標準に従ってフォーマットされる。放送データはまた、様々な視聴覚番組の放送の時点を指定するサービス情報を含む。このサービス情報は、ＤＶＢ−ＳＩ仕様（「Ｄｉｇｉｔａｌ Ｖｉｄｅｏ Ｂｒｏａｄｃａｓｔ−ｓｐｅｃｉｆｉｃａｔｉｏｎ ｆｏｒ Ｓｅｒｖｉｃｅ Ｉｎｆｏｒｍａｔｉｏｎ」）によって定義される。
【００１８】
本発明の典型的な実施例によれば、サービス情報はまた、他の源、例えばインターネットを介してアクセス可能なサーバから発せられうる。視聴覚番組を受信する手段はチューナである。番組は、デコーダのハードディスクに格納されるか、又は、ディジタルビデオレコーダを用いて磁気テープカセットに格納される。データは、続いて記録装置から読み出され、ディジタル網を介して転送され、２つのテレビジョン画面ＴＶ１又はＴＶ２のいずれかで見られる。
【００１９】
端末の画面上に表示された情報を用いて、ユーザは次に放送される番組を確かめることができる。ユーザは、ストリーム中で放送された又は例えばインターネットといったサービスを通じて得られたサービス情報を用いるユーザインタフェースを用いて、情報に一通り目を通す。ユーザは、遠隔制御装置又はキーパッド、並びに、画面上に表示された標識を用いてコマンドを入力する。ユーザは、或る時点に放送される番組の記録を予約することができる。ディジタルテレビジョンの分野では、番組はカルーセル技術によって数回放送される。従って、ユーザは、番組を見ようとする時点を選択し、特に好きであった番組を再度数回見ることができる。本発明は、記録の管理を最適化するためにこの特徴を用いる。
【００２０】
ユーザによって入力されるパラメータは、網の装置のうちの１つのメモリに記録される。中央管理ユニット（ＵＣ）は通信網に対して利用可能であり得る。この中央ユニットは、キーパッドＫ２上でユーザによって当てられたコマンドを受信し、集中方式で網に接続された全ての装置を制御する。他の場合、例えばＨＡＶＩ網の場合、網の管理は遠隔に各装置中に置かれる。記録パラメータは網を通じて送信され、タスクを実行することが可能な装置はこれらを取り出し、メモリへ格納する。適切な時点において、網は番組のデータをディジタル形式で装置へ送信し、装置はこれらを記録する。
【００２１】
例えば、ユーザは番組に関心を持っているが番組はユーザがいる時点には放送されないとする。従って、ユーザは、番組の記録を予約することに決める。
【００２２】
図２及び図３は、典型的な実施例による方法の実行についてのフローチャートである。例は、ＨＡＶＩ網を用いる実施例を示したものであり、記録を管理するモジュールは網の装置（ＶＣＲ１，ＶＣＲ２，ＳＴＢ）のうちの少なくとも幾つかの中に複製されたプログラムの形である。特に、これはデコーダＳＴＢのメモリＭ１の中に置かれ、このモジュールはハードディスクＤＤ中に番組を記録することを可能とする。プログラムは、幾つかの機能ブロックから構成される。ステップ１乃至８からなる第１のブロックは、即時記録の管理を行う。ステップ９乃至１０からなる第２のブロックは、想定されたタスクの実行に必要なリソースの利用可能性を判定することを可能とする。第３のブロックは、想定されたタスクを実行するステップ１１乃至１５を含む。ステップ１６乃至２４からなる第４のブロックは、想定されたタスクの実行のための他の解決方法を探す。この第４のブロックは、特に一組の交渉ステップを含む。
【００２３】
網管理プログラムは、ステップ１から開始する。ステップ２において、プログラムは、タスクが予約されたかどうか、すなわち、この時点において記録が実行されるべきかを調べる。これを行うには、例えば記録装置の内部クロックを読み出し、現在の時間的な値を予約された記録の開始時間と比較する。記録タスクのためのトリガ時間に達すると、プログラムはステップ９へ進み、予約された記録タスクをうまく行うためにリソースを予約する。
【００２４】
現在時間において記録が予約されていなければ、プログラムは即時記録がユーザによって引き起こされたかどうかを調べる（ステップ３）。即時記録は、例えばユーザがビデオレコーダの記録ボタンを押したときにトリガされる。結果が否定的であれば、プログラムはステップ２へ戻る。結果が肯定的であれば、プログラムは、プログラムが既に開始されているかどうかを調べる。開始していない場合は、プログラムは、リソースを予約しこの即時記録を生じさせる準備をするためにステップ９へ進む。プログラムが既に開始していれば、番組を完全に記録するために新しい再放送を待つことが望ましい。従って、ステップ５において、プログラムは、この番組の後の放送を探索し、番組を後に記録することが可能であるかどうかを調べる（ステップ６）。探索は、放送網によってＤＶＢ−ＳＩテーブル中で放送されるか、又は、例えば電話回線を介してサーバ上に取得されるサービス情報を解析することによって行われる。再放送がなければ、プログラムは、少なくとも番組の一部を記録するためにステップ９へ進む。逆の場合、ステップ７において、記録パラメータは、後の放送を考慮に入れるために変更される。次に（ステップ８）、プログラムは変更が可能であるかどうかを調べる。可能であれば、プログラムはステップ２へ戻る。可能でなければ、プログラムはステップ９へ進む。
【００２５】
ステップ９において、プログラムは割り当て要求を生じさせ、記録タスクをうまく達成させるためにリソースを予約する。ユーザは、放送番組を記録しようとするときは、少なくとも１つの記録装置（ハードディスク又はビデオレコーダ）、受信手段（チューナ）、及び、網上で利用可能な幾らかの量の帯域幅を有していなくてはならない。ステップ１０において、プログラムは、これらの必要はリソースが現在利用可能であるかどうかを調べる。利用可能であれば、プログラムは、ステップ９において予約されたリソースを用いて想定された記録を行わせる（ステップ１１）。記録の終わりにおいて、プログラムは正しく実行されているかどうかを確認する（ステップ１２）。記録が正しく実行される場合、プログラムは始まりへ戻り、ステップ２へ進む。逆の場合、例えば、ユーザが自分の仕様のために記録装置に対して手動で検索を行った場合、プログラムは記録されるべき番組の後の放送について探索する（ステップ１３）。探索で何も得られたかった場合、番組はもはや放送されず（ステップ１４）、もはや再び記録することは可能ではない。プログラムはステップ２へ戻る。他方で、他の放送が想定される場合、プログラムは、装置のメモリへ新しい記録パラメータを入力するステップ１５へ進み、プログラムは始まりへ戻り、この記録を行わせるためにパラメータ中で指定された時点を待つ。
【００２６】
ステップ１０に続いて、現在において全てのリソースが利用可能ではない場合、プログラムはこの番組の後の放送を探索するためにステップ１６へ進む。プログラムがステップ１７において、番組が後に放送されることを見つけると、ステップ１８において新しい予約要求が次の放送のパラメータと共に格納される。次に（ステップ１９）、プログラムは、変更が成功したかどうかを調べる。変更が成功した場合、プログラムはステップ２へ進み、成功しない場合は、プログラムは続いてステップ２０へ進む。
【００２７】
記録を延期することが可能である場合、プログラムは、同等のリソースについて探し（ステップ２０及び２１）、ステップ２２及び２３を含むリソースの割り当てについて交渉する段階を生じさせる。ステップ２０において、プログラムは（必要な見つかっていない（ｍｉｓｓｉｎｇ）各リソースに対して）同等のリソースが利用可能であるかどうか探す。例えば、視聴覚番組の記録はビデオレコーダ上で、また、ハードディスク上でなされうる。ステップ２１における判定は、見つかっていない全てのリソースが見つかった場合に記録のステップ１１へ進むことを可能とする。見つからなかった場合は、プログラムは見つかっていないリソースに対する交渉のステップ２２へ進む。このステップは、見つかっていないリソースを現在使用しているユーザ（又はアプリケーション）にそれらを解放するよう要求することを行う。プログラムは、見つかっていないリソースを用いている様々なプロシジャに対して放棄要求を送信し、それに対して、リソースが解放されたか否かを示す合図を受け取る。例えば、リソースが１つの媒体から他の媒体へコピーを行うのに使用中である場合、このタスクは時間的にずれている場合があり、転送アプリケーションはリソースを解放することを決定する。リソースがユーザが見ている番組を受信する受信器である場合、このユーザに対しては、見ることを止めることを奨めるメッセージが出される。ユーザが拒否すれば、リソースは解放されない。
【００２８】
交渉の結果が想定されたタスクのために肯定的であれば、即ち、想定されたタスクを実行するのに必要な見つかっていないリソースをプログラムが取得したとき、プログラムは、解放されたリソース上への記録を行わせるステップ１１へ進む。結果が否定的であれば、想定されたタスクを実行することは可能ではなく、従ってプログラムはそのタスクを消去し（ステップ２４）、ステップ２へ戻る。有利には、プログラムは、メッセージを用いて、ユーザに記録が放棄されたことを知らせる。
【００２９】
プログラムがステップ１７において番組の再放送を見つけると、次の放送のパラメータが記録され、プログラムはステップ２へ戻って次の再放送を待つ。この時点に到達すると、プログラムは、想定された記録装置が利用可能であるか否かを判定し、利用可能でなければ、他の記録装置を探索する。このようにして、プログラムは、番組の後の放送と、これらの放送の間の記憶装置の利用可能性について考慮に入れる。プログラムは、最初に予約された記憶装置以外の記憶装置を用いること及び後の放送中の記録を予約することを含む解決策を探す。
【００３０】
上述した本発明の典型的な実施例は、具体的な性質を示すために選択されたものである。しかしながら、本発明によって網羅される全ての実施例を完全に列挙することは可能ではない。特に、上述のいずれの段階又はいずれの手段も、本発明の範囲を逸脱することなく同等の段階又は手段によって置き換えられうる。
【図面の簡単な説明】
【図１】
本発明が実施されるホーム・オートメーション網を示す図である。
【図２】
方法の様々な段階を実行するためのフローチャートの第１の部分を示す図である。
【図３】
方法の様々な段階を実行するためのフローチャートの第２の部分を示す図である。
【図２】
2004517566.tif 000002
【図３】
2004517566.tif 000003
【国際公開パンフレット】
2004517566.tif 000004
2004517566.tif 000005
2004517566.tif 000006
2004517566.tif 000007
2004517566.tif 000008
2004517566.tif 000009
2004517566.tif 000010
2004517566.tif 000011
2004517566.tif 000012
2004517566.tif 000013
2004517566.tif 000014
2004517566.tif 000015
2004517566.tif 000016
2004517566.tif 000017
2004517566.tif 000018
2004517566.tif 000019
【手続補正書】
【提出日】平成14年10月30日(2002.10.30)
【手続補正１】
【補正対象書類名】明細書
【補正対象項目名】特許請求の範囲
【補正方法】変更
【補正の内容】
【特許請求の範囲】
【請求項１】
放送網によって放送される視聴覚番組及びサービス情報を受信する少なくとも１つの手段（ＳＴＢ）を含む通信網内で記録を管理する方法であって、
（ａ）指定された時点における指定された記録装置への視聴覚番組の記録を予約するためのパラメータを入力する予備段階と、
（ｂ）前記指定された時点において、前記指定された記憶装置が利用可能であるか否かを調べる段階（１０）と、
（ｃ）前記段階（ａ）の結果が否定的である場合は、前記放送サービス情報の中の前記番組の少なくとも一の他の放送時点を探索する段階（１６，１７）と、
（ｄ）前記番組が後に放送される場合は、後の放送中の記録のために前記指定された時点を変更する（１８）段階とを含み、
前記網は前記視聴覚番組を記録する複数の記録装置（ＶＣＲ１，ＶＣＲ２，ＤＤ）を含み、前記方法は更に、
（ｅ）前記番組が後に放送されない場合は、網に接続された他の記録装置を探索し、利用可能な装置中で指定される時点において記録を行う段階（２１，２１）とを含むことを特徴とする方法。
【請求項２】
（ｆ）利用可能な記録装置がない場合は、見つかっていない装置を使用しているユーザ又はアプリケーションと交渉し、前記ユーザ又はアプリケーションが前記見つかっていない装置を解放することができるか否かを判定する段階（２２，２３）と、
（ｇ）見つかっていない装置が得られた場合は、解放された装置上で記録を行わせる段階（１１）とを更に含むことを特徴とする請求項１記載の記録を管理する方法。
【請求項３】
番組の再放送の時点において指定された装置が利用可能でない場合は、記録を行うための他の同等の記録装置（ＶＣＲ１，ＶＣＲ２，ＤＤ）を探すことを特徴とする、請求項１又は２記載の記録を管理する方法。
【請求項４】
前記番組の記録段階（１１）に続いて、
（ｈ）前記記録を確認する段階（１２）と、
（ｉ）前記記録が不良であった場合は、前記番組の少なくとも一の他の放送時点を探す段階と、新しい記録を予約する段階（１３，１４，１５）とを更に含むことを特徴とする、請求項１乃至３のうちいずれか一項記載の記録を管理する方法。
【請求項５】
前記視聴覚番組はディジタル式のものであることを特徴とする、請求項１乃至４のうちいずれか一項記載の記録を管理する方法。
【請求項６】
放送に対応する少なくとも指定された記録時点を含む記録を予約するためのパラメータを入力する手段（Ｋ１）と、前記パラメータを格納するメモリ（Ｍ）と、前記視聴覚番組の放送網上の放送を指定するサービス情報を受信する手段（ＤＥＭＵＸ）とを含む、放送網を通じて受信される視聴覚番組を記録する装置（ＶＣＲ１，ＶＣＲ２，ＤＤ）であって、
前記指定された時点において記録装置が利用可能でない場合は他の放送を選択する手段（μＰ１，Ｍ１）と、前記選択された放送時点を書き込むために、前記メモリ（Ｍ１）中で前記記録時点を変更する手段と、前記番組の放送中に前記装置が利用可能でない場合は他の記録装置を探索する手段と、前記他の装置が利用可能であれば前記他の装置上での記録を動作させるよう新しい予約データを送信する手段とを更に含むことを特徴とする、装置。
【請求項７】
前記番組の記録のために利用可能な記録装置がない場合に作動される交渉手段（２２）を更に含み、前記交渉手段は、記録装置の解放の合図を受信し、解放された装置上への番組の記録を実行させることを特徴とする、請求項６記載の記録装置。
【請求項８】
前記実行された記録を確認する手段（１２）と、前記記録が不良であった場合は、番組を再び記録するために前記番組の少なくとも一の他の放送時点を探す段階（１３，１４，１５）とを更に含むことを特徴とする、請求項６又は７記載の記録装置。
【請求項９】
前記記録装置はディジタルビデオレコーダであることを特徴とする、請求項６乃至８のうちいずれか一項記載の記録装置。
【国際調査報告】
2004517566.tif 000020
2004517566.tif 000021
2004517566.tif 000022
2004517566.tif 000023
2004517566.tif 000024
2004517566.tif 000025